(57)【要約】  屋外に設置され、外気中に含まれる水分を吸着して結露水に換え、室内で蒸発させて室内を加湿する加湿装置（Ｋ）であり、外気を取入れて導通させる吸着用通風路（２）と、吸着用通風路（２）に一部が介在して回転駆動され、吸着用通風路（２）に導かれる外気から水分を吸着する吸着回転体（７）と、吸着回転体（７）の残り一部に高温の熱交換用空気を導き水分を熱交換用空気中に放出させる再生用通風路（３）と、再生用通風路（３）における吸着回転体（７）の下流部位に配置され冷却用空気を導いて熱交換用空気と熱交換させ結露水を得る凝縮用熱交換器（８）と、凝縮用熱交換器（８）で得られた結露水を室内へ搬送する水搬送路（１）とを具備し、凝縮用熱交換器（８）に導かれる冷却用空気として吸着用通風路（２）の外気を用いる。これにより、比較的簡素な構造にて効率よく充分な量の結露水を得られ、室内の加湿条件を満足できる
2008117684.tif 000002
【特許請求の範囲】
【請求項１】
屋外に設置され、外気中に含まれる水分を吸着して結露水に換え、室内で蒸発させて室内を加湿する加湿装置であり、
外気を取入れて導通させる吸着用通風路と、
この吸着用通風路に一部が介在して回転駆動され、上記吸着用通風路に導かれる外気から水分を吸着する吸着回転体と、
この吸着回転体の残り一部に高温の熱交換用空気を導き、吸着回転体に吸着された水分を熱交換用空気中に放出させる再生用通風路と、
この再生用通風路における上記吸着回転体の下流部位に配置され、冷却用空気を導いて上記吸着回転体から放出した水分を含む熱交換用空気と熱交換させ、熱交換用空気を凝縮させて結露水を得る凝縮用熱交換器と、
この凝縮用熱交換器で得られた結露水を、室内へ搬送する水搬送手段とを具備し、
上記凝縮用熱交換器に導かれる冷却用空気として、上記吸着用通風路の外気を用いることを特徴とする加湿装置。
【請求項２】
上記吸着用通風路は、外気を、先に上記凝縮用熱交換器に導いたあと、上記吸着回転体に導くように構成されることを特徴とする請求項１記載の加湿装置。
【請求項３】
屋外に設置され、外気中に含まれる水分を吸着して結露水に換え、室内で蒸発させて室内を加湿する加湿装置であり、
外気を取入れて導通させる吸着用通風路と、
この吸着用通風路に一部が介在して回転駆動され、上記吸着用通風路に導かれる外気から水分を吸着する吸着回転体と、
この吸着回転体の残り一部に高温の熱交換用空気を導き、吸着回転体に吸着された水分を熱交換用空気中に放出させる再生用通風路と、
この再生用通風路における上記吸着回転体の下流部位に配置され、冷却用空気を導いて上記吸着回転体から離脱した水分を含む熱交換用空気と熱交換させ、熱交換用空気を凝縮させて結露水を得る凝縮用熱交換器と、
この凝縮用熱交換器で得られた結露水を、室内へ搬送する水搬送手段とを具備し、
上記凝縮用熱交換器は、軸方向を上下方向に向け上記再生用通風路から導かれる熱交換用空気を案内する管路と、この管路の軸方向と直交する略水平方向に設けられ冷却用空気を案内するフィンとを備えたことを特徴とする加湿装置。
【請求項４】
上記凝縮用熱交換器を構成する上記管路は、互いに水平方向に所定間隔を存して複数本が並設され、上記フィンは上記管路相互間に亘り、かつ上下方向に所定間隔を存して互いに複数枚が並設されることを特徴とする請求項３記載の加湿装置。
【請求項５】
冷媒管及びケーブル類を介して互いに接続される室内機と室外機からなる空気調和機であり、
上記請求項１ないし請求項４のいずれか記載の加湿装置を、上記室外機に搭載したことを特徴とする空気調和機。
【請求項６】
冷媒管及びケーブル類を介して互いに接続される室内機と室外機とからなる空気調和機であり、
上記請求項１ないし請求項４のいずれか記載の加湿装置を、上記室外機に搭載し、この加湿装置を構成する上記水搬送手段の結露水搬送先を上記室内機としたことを特徴とする空気調和機。
【発明の詳細な説明】
【技術分野】
【０００１】
本発明は、外気を取込み、外気中に含まれる水分を凝縮して結露水に換え、この結露水を室内へ搬送して蒸発させ、室内を加湿する加湿装置と、この加湿装置を備えた空気調和機に関する。
【背景技術】
【０００２】
冬季においては外気温度が低下するばかりでなく湿度が低下する傾向にあり、屋外では乾燥化する。室内においても少なからぬ影響を受けるので、加湿して室内の湿度を上げるのが理想である。室内に専用の加湿器を備えて作動すればよいが、頻繁に加湿用水（水道水）を補給する手間がかかり、面倒な作業が要求される。【０００３】
そこで、手間がかからずに、確実に室内を加湿できる装置が求められている。例えば、特開２００１−３１７９８１号公報や特開２００６−３０８２４６号公報には、この要望に応え加湿機能を備えた空気調和機が開示されている。いずれの発明も、外気中に含まれる水分を吸着して凝縮し、結露水に換えて室内へ搬送し、室内で蒸発させて湿度の上昇を図るようになっている。【０００４】
具体的には、特開２００１−３１７９８１号公報に開示された技術では、室内ユニットに備えた脱離部で外気から水分を離脱させて高湿空気を生成し、結露部で高湿空気を冷却して加湿水を生成する。脱離部と結露部とは循環通路で結ばれていて、空気を循環させている。そして、結露部は高湿空気と冷媒とを熱交換させ、冷媒の気化熱で高湿空気を冷却する結露用熱交換器を備えている。【０００５】
特開２００６−３０８２４６号公報に開示された技術では、水分を吸着するための外気を導く第１空気流路と、水分を脱着するための外気を導く第２空気流路及び、この外気を昇温する熱交換器と、第１空気流路内の外気から水分を吸着し、熱交換器で昇温させた外気で水分を脱着するデシカントロータとを備え、上記熱交換器にはヒートポンプサイクルを循環する冷媒を導く。
【発明の開示】
【０００６】
ところで、特開２００１−３１７９８１号公報に開示された技術では、結露部において高湿の空気を冷却し加湿水を生成する手段として、結露用熱交換器を備えている。この結露用熱交換器は、ヒートポンプ式冷凍サイクル回路に追設されていて、冷凍サイクル回路から冷媒を導いて高湿空気と熱交換させ、冷媒の気化熱によって高湿空気を冷却するようになっている。
【０００７】
そのため、機能的には満足するが、加湿ユニットを備えた室外ユニット構造が複雑化し大型となる。すなわち、単に室外ユニットに加湿ユニットを搭載しただけでは足りず、冷凍サイクル回路を構成する冷媒管の一部を切除して、結露用熱交換器に接続するバイパス冷媒管を設ける必要がある。構成が複雑化し、コストに少なからぬ影響を与えてしまう。
【０００８】
また、上記特開２００６−３０８２４６号公報の実施の形態２には、生成された高温高湿空気と、外気である冷却用空気とを熱交換する冷却用熱交換器が開示されている。ただし、これ以上の詳細な説明はなく、図面（図３）上は、冷却用熱交換器を構成する複数枚のフィンが上下方向に立てられ、これらフィンの間に矢印で示す外気が水平方向に流通している。
【０００９】
上記冷却用熱交換器が、通常のフィンと熱交換パイプとからなる構造とすると、高温高湿空気を導く熱交換パイプは水平方向に設けられることになる。したがって、水平な熱交換パイプ内を流通する途中で得られる結露水が、冷却用熱交換器の真下に配置されるドレンタンク内へどのように効率よく導かれるのか、不明である。
【００１０】
本発明は上記事情にもとづきなされたものであり、その目的とするところは、比較的簡素な構造にて、効率よく充分な量の結露水を得られて、室内の加湿条件を満足できるようにした加湿装置と、この加湿装置を備えた空気調和機を提供しようとするものである。
【００１１】
上記目的を満足するため本発明は、屋外に設置され、外気中に含まれる水分を吸着して結露水に換え、室内で蒸発させて室内を加湿する加湿装置であり、外気を取入れて導通させる吸着用通風路と、この吸着用通風路に一部が介在して回転駆動され吸着用通風路に導かれる外気から水分を吸着する吸着回転体と、この吸着回転体の残り一部に高温の熱交換用空気を導き吸着回転体に吸着された水分を熱交換用空気中に放出させる再生用通風路と、この再生用通風路における吸着回転体の下流部位に配置され冷却用空気を導いて吸着回転体から放出した水分を含む熱交換用空気と熱交換させ熱交換用空気を凝縮させて結露水を得る凝縮用熱交換器と、この凝縮用熱交換器で得られた結露水を室内へ搬送する水搬送手段とを具備し、凝縮用熱交換器に導かれる冷却用空気として、吸着用通風路の外気を用いる。
【００１２】
上記目的を満足するため本発明は、冷媒管及びケーブル類を介して互いに接続される室内機及び室外機とからなる空気調和機であり、上記加湿装置を室外機に搭載した。
【図面の簡単な説明】
【００１３】
【図１】図１は、本発明における実施の形態に係る、加湿装置の概略構成図である。
【図２】図２は、同実施の形態に係る、空気調和機の室外機に備えた加湿装置の概略構成図である。
【図３】図３は、同実施の形態に係る、加湿装置を備えた室外機の概略縦断面図である。
【図４】図４は、同実施の形態に係る、空気調和機と加湿装置の概略構成図である。
【図５】図５は、同実施の形態に係る、加湿装置を構成する凝縮用熱交換器の一部斜視図である。
【発明を実施するための最良の形態】
【００１４】
図１は、加湿装置Ｋの基本構成を説明する図であり、模式的に描いている。この加湿装置Ｋは屋外に設置されることが前提であり、加湿装置Ｋと図示しない室内とは水搬送路（水搬送手段）１を介して連通する。加湿装置Ｋは、一側部と他側部が屋外に対して開口されるダクトからなる吸着用通風路２と、実質的に開口部のない閉ループを構成する循環ダクトである再生用通風路３を備えている。【００１５】
上記吸着用通風路２の一側部には、シロッコファンタイプの吸着用送風機４が配置される。この吸着用送風機４を駆動することにより、一方の開口部Ｓから外気が取込まれ、図中実線矢印に示すように吸着用通風路２を通風して他方の開口部Ｑから吐出される。すなわち、一方の開口部が外気導入部Ｓとなり、他方の開口部が外気導出部Ｑとなる。【００１６】
上記再生用通風路３には、シロッコファンタイプの再生用送風機５が配置される。再生用通風路３は上述したように閉ループを構成しているので、上記再生用送風機５を駆動することにより、再生用通風路３内に存在していた空気が図中一線鎖線矢印に示すように再生用通風路３内を循環し、外気の取込みと外部への吐出はない。【００１７】
上記吸着用通風路２と再生用通風路３は、互いの一部が所定長さで並行し、かつ密に接する部位を備えている。これら吸着用通風路２と再生用通風路３の接する部位に、吸着回転体７が介設される。上記吸着回転体７は、吸着用通風路２と再生用通風路３の長手方向に対して斜めに傾斜して設けられ、図示しない回転駆動源に連結されている。【００１８】
上記吸着回転体７は、例えば直径が２０〜３０ｃｍ、厚みが２〜３ｃｍ程度の円板状であり、３〜５ｒｐｍのゆっくりとした速度で回転駆動される。吸着回転体７は一側面から他側面に亘って多数のハニカム状空気通路を備えていて、これら空気通路の表面にはゼオライト等の吸湿材が均一な厚みで担持される。この吸湿材は、低温環境で空気中の水分を効率よく吸着し、高温環境では吸着した水分を速やかに脱離する特性を有する。【００１９】
吸着回転体７のハニカム状空気通路の形成方向と、吸着用通風路２及び再生用通風路３の長手方向とは一致している。そのため、時間の経過とともに吸着回転体７が回転するが、回転速度が遅いので、吸着用通風路２と再生用通風路３に通風があるとき、何らの支障も無く円滑に吸着回転体７のハニカム状空気通路を流通する。【００２０】
再生用通風路３の一部に吸着用通風路２の一部が交差していて、この交差部には凝縮用熱交換器８が設けられる。なお説明すると、再生用通風路３は上下方向（垂直方向）に向く部分を備え、この部分のみ複数の直状管路８ａから形成される。互いの管路８ａ間には複数のフィン８ｂが介設される。【００２１】
具体的には、上記凝縮用熱交換器８は図５に示すように構成される。図５は凝縮用熱交換器８の一部の斜視図である。【００２２】
上記複数の管路８ａは、例えば断面矩形状に形成されていて、上述したとおり軸方向が上下方向に向けられ、かつ互いに水平方向に所定間隔を存して並設される。管路８ａ内が再生用通風路３と連通していて、再生用送風機５を駆動することにより管路８ａ内の上部から下部へ向って通風される。【００２３】
管路８ａの内周壁に対して親水処理もしくは撥水処理が施されている。したがって、管路８ａ内周壁に結露が生成すれば、隣り合う水滴同士が付着したままその場に止まる、いわゆるブリッジ現象が生じることなく、直ちに円滑に流下する。管路８ａの軸方向が上下方向に向けて設けられていることも、水滴が円滑に落下することの一因をなす。【００２４】
上記フィン８ｂは、管路８ａ相互の外周面に亘って、管路８ａの軸方向とは直交する水平方向に設けられ、互いに上下方向に所定間隔を存して並設される。これらフィン８ｂは、上記吸着用通風路２の外気導入部Ｓの近傍部位に収容されていて、吸着用送風機４の駆動にともない外気導入部Ｓから取込まれた外気がフィン８ｂ相互間を流通する。【００２５】
このように上記凝縮用熱交換器８は、再生用通風路３における吸着用通風路２との交差部位に設けられ、再生用通風路３に導かれる空気が凝縮用熱交換器８の管路８ａ内を上部から下部へ流通する一方で、吸着用通風路２に導かれる外気がフィン８ｂ相互間を水平方向に流通し、同時に管路８ａ外周面に接するようになっている。【００２６】
再び図１に示すように、上記吸着用通風路２における凝縮用熱交換器８と交差する部位は、上記吸着回転体７が介在する部位の外気導入側（上流側）となる。すなわち、吸着用通風路２の外気導入部Ｓから取込まれた外気は、先に凝縮用熱交換器８のフィン８ｂ間に導かれ、そのあと吸着回転体７の空気通路を通過してから外気導出部Ｑから導出される。【００２７】
上記再生用通風路３の凝縮用熱交換器８直下部位には排水口９が設けられていて、実質的に再生用通風路３は排水口９を介して外部と連通する。上記排水口９と対向する下部に、上述した水搬送路１を構成するドレンタンク１０が配置される。ドレンタンク１０には図示しないフロートスイッチが取付けられ、上記凝縮用熱交換器８で生成され、かつ滴下する結露水を受ける。【００２８】
上記水搬送路１は、上記ドレンタンク１０に接続され、かつ室内にまで延設される送水管１１と、この送水管１１の中途部に設けられるポンプ１２を備えている。上記ポンプ１２は、例えばチュービングポンプであり、低流量でかつ高揚程の特性を備えていて、ドレンタンク１０内の結露水を吸上げ、家屋の２階もしくは３階の室内へも揚水できる。【００２９】
特に図示していないが、室内における送水管１１の端部には、少なくとも、導かれてきた結露水を溜める容器と、容器内の結露水を蒸発させ水蒸気に換えるヒータ、あるいは超音波を利用して水蒸気に換える加湿体が備えられる。さらに、より効率よく室内へ水蒸気を送り込むためには、水蒸気を室内へ送風する送風機を備えるとよい。【００３０】
再生用通風路３における再生用送風機５の送風側で、かつ上記吸着回転体７の介在部位との間には、再生用送風機５から吹出される空気を加熱する空気加熱体１３が設けられる。すなわち、吸着回転体７に導かれる空気は、吸着回転体７の直前部位で空気加熱体１３により加熱され高温化する。【００３１】
後述するように加湿装置Ｋを空気調和機の室外機に備えた場合は、上記空気加熱体１３として電気回路を構成するインバータ１３ａや、リアクタ１３ｂ、あるいは冷凍サイクルを構成する圧縮機の吐出側に設けられる補助熱交換器１３ｃが用いられる。いずれも、それ自体の作用にともなって高温化するので、ランニングコストが不要で加熱できる。【００３２】
次に、このようにして構成される加湿装置Ｋの作用について説明する。【００３３】
室内を加湿するには、吸着用通風路２に備えられる吸着用送風機４を作動して、外気導入部Ｓから外気を取込み、吸着用通風路２に沿って流通させたあと外気導出部Ｑから導出する。同時に、再生用通風路３に備えられる再生用送風機５を作動して、再生用通風路３に沿って空気を循環させる。【００３４】
さらに、吸着回転体７を回転駆動する一方で、再生用通風路３に配置される空気加熱体１３を発熱させる。吸着用通風路２に導入された外気は、再生用通風路３との交差部に設けられる凝縮用熱交換器８のフィン８ｂ相互間を流通し、後述するように再生用通風路３を循環する空気（以下、「熱交換用空気」）と熱交換する。【００３５】
吸着用通風路２に導かれた外気は凝縮用熱交換器８のフィン８ｂ相互間を流通したあと、吸着回転体７の一部に導かれ、ハニカム状空気通路を流通する。このとき、吸着回転体７の空気通路に担持された吸着材によって、外気に含まれる水分が吸着され、かつ捕集される。吸着回転体７を流通した後の外気は、吸着用送風機４を介して外気導出部Ｑから屋外へ排出される。【００３６】
一方、再生用通風路３においては、空気加熱体１３によって加熱され高温化した熱交換用空気が吸着回転体７の一部に導かれ、ハニカム状空気通路を流通する。吸着回転体７は回転駆動されているので、吸着用通風路２に導かれる外気から水分を捕集した部分が時間の経過とともに再生用通風路３に対向する。【００３７】
上記再生用通風路３に導かれる高温化した熱交換用空気は、吸着回転体７の空気流通路を流通する間に吸着回転体７を加熱する。したがって、空気流通路の吸着材に捕集されていた水分が、吸着回転体７から脱離する。この結果、高温の熱交換用空気が吸着回転体７から流出したときには水分が含まれ、高湿高温状態に変る。【００３８】
そのあと、高湿高温の熱交換用空気が凝縮用熱交換器８に導かれ、凝縮用熱交換器８を構成する複数の管路８ａ内に上部から下部へ向って流通する。一方、凝縮用熱交換器８のフィン８ｂ相互間に吸着用通風路２の外気が流通している。しかも、この外気は外気導入部Ｓから導入された直後であり、低温である。【００３９】
凝縮用熱交換器８において、管路８ａ内を流通する高湿高温の熱交換用空気と、フィン８ｂ相互間を流通する低温外気とが熱交換する。熱交換用空気は外気により冷却され、熱交換用空気に含まれる水分が凝縮して管路８ａ内周壁に結露する。これに対して、温度上昇した外気が流通するフィン８ｂ表面には結露の生成がない。【００４０】
継続して熱交換用空気が管路８ａ内を流通し、小粒の結露が短時間で肥大化して大きな水滴となる。管路８ａ内周壁が親水処理もしくは撥水処理がなされているとともに、結露水の流下方向は熱交換用空気の流通方向と一致するので、結露水は円滑に流下する。そして、排水口９に滴下してドレンタンク１０に集溜される。【００４１】
結露水がドレンタンク１０に所定量以上溜ったことをフロートスイッチが検知すると、ポンプ１２が駆動されてドレンタンク１０内の結露水は送水管１１を介して室内へ送水される。室内において、結露水は容器に一旦溜められ、ここに設けられる加湿体が結露水を水蒸気に換えて室内へ放散する。【００４２】
したがって、室内に水蒸気が供給され、室内湿度が短時間で上昇し、冬季であっても室内を加湿して乾燥化を防止する。なお、水蒸気を送風機で室内へ強制的に送ることで、より効率よく水蒸気を室内に充満させ加湿できる。いずれにしても、室内は最適な湿度に保持され、快適度の向上を得られる。【００４３】
凝縮用熱交換器８を流通した後の熱交換用空気は、内部に含まれた水分が凝縮された後であり、乾燥した状態になっている。この熱交換用空気は、流通方向を変えられて再び吸着用送風機４に吸込まれ、空気加熱体１３に向けて送風される。熱交換用空気はさらに上述したように再生用通風路３を循環して、再び吸着回転体７が外気から捕集した水分を脱離させ、凝縮して結露水に換える動作を連続して繰り返す。【００４４】
このように上記加湿装置Ｋは、外気から水分を捕集し、この水分を凝縮して結露水に換える。そして、結露水を室内へ送水し、ここで蒸発させて室内の加湿作用をなす。したがって、上記加湿装置Ｋは、従来から用いられる加湿器と相違して加湿タンクに水を補給する手間等が不要となり、取扱いが容易である。【００４５】
上記吸着回転体７は、吸着用通風路２と再生用通風路３の長手方向に対し斜めに傾斜して備えた。このことにより、吸着回転体７として吸着用通風路２と再生用通風路３における流通面積を充分に確保したうえに、高さ寸法を低く抑えることができる。したがって、加湿装置Ｋの全高寸法を抑えてコンパクト化を得る。【００４６】
上記凝縮用熱交換器８において、再生用通風路３に導かれる高湿高温の熱交換用空気と熱交換する冷却空気として、外気を用いている。加湿装置Ｋが主に使用される冬季は外気温度が低いので、この低温外気を有効活用する。そして、低温外気を凝縮用熱交換器８へ導くための送風機は、吸着用通風路２の吸着用送風機４を用いる。【００４７】
このため、特に外気導入専用の送風機を備える必要がなく、送風機の兼用化ができて、構成の簡素化と、コストダウンに寄与する。また、高湿高温の熱交換用空気と熱交換するための補助用熱交換器をヒートポンプ式冷凍サイクル回路に追設する必要がなく、効率のよい熱交換が可能であり、より廉価に提供できる。【００４８】
上記吸着回転体７は再生用通風路３から高温の熱交換用空気が導かれて温度上昇し、この状態で吸着用通風路２に対向する。そこで、吸着用通風路２において外気を吸着回転体７に導く前に、凝縮用熱交換器８に導くように構成した。そのため、より低温の外気が凝縮用熱交換器８に導かれることとなり、熱交換効率のより向上化を得られる。【００４９】
凝縮用熱交換器８を構成する管路８ａは、軸方向を上下方向に向け再生用通風路３に導かれる熱交換用空気を案内する。したがって、管路８ａの内周壁に生成する結露水は、それ自体の重さによって流下するとともに、熱交換用空気の流れに乗って円滑に流下する。【００５０】
凝縮用熱交換器８では熱交換用空気に対する凝縮効率の向上を図れて、より多量の結露水が短時間で生成する。さらに、管路８ａを複数並設したので、凝縮用熱交換器８における熱交換用空気の通風抵抗の低減を得られ、熱交換用空気の風量が増大して、より凝縮効率の向上を得られ、より多量の結露水が短時間で生成する。【００５１】
なお、上述の実施の形態では、上記吸着回転体７の一側面から他側面に亘り、吸着用通風路２と再生用通風路３の長手方向と一致する方向に、多数のハニカム状空気通路を備え、これら空気通路の表面にはゼオライト等の吸湿剤が均一な厚みで担持するように構成したが、これに限定されない。【００５２】
すなわち、上記吸着回転体７自体を多孔質のゼオライトで構成する。完成された吸着回転体７は上述した直径と厚み寸法と一致する円板状であり、これを駆動源に連結して回転駆動することについては同様である。したがって、吸着用通風路２に導かれる外気と、再生用通風路３に導かれる熱交換用空気は円滑に流通して同様の加湿効果を得られる。【００５３】
次に、上記加湿装置Ｋを室内機２０Ａと室外機２０Ｂとからなる空気調和機２０に備えた例について説明する。【００５４】
図２は加湿装置Ｋを備えた空気調和機２０の室外機２０Ｂの概略構成図、図３は同じく加湿装置Ｋを備えた空気調和機２０の室外機２０Ｂの概略縦断面図、図４は加湿装置Ｋを備えた空気調和機２０の室内機２０Ａと室外機２０Ｂの概略構成図である。【００５５】
空気調和機２０として、冷媒管及びケーブル類を１本にまとめた連結部材Ｐを介して互いに接続される室内機２０Ａと室外機２０Ｂとからなる。上記室内機２０Ａは室内壁面の高所に取付けられ、上記室外機２０Ｂは屋外の地面上に配置される。上記加湿装置Ｋは、少なくとも室外機２０Ｂにおいて後述するように備えられている。【００５６】
なお、図４に示すように、室内機２０Ａに加湿部２１を備える場合がある。すなわち、加湿装置Ｋで得られた結露水を送水管１１から受け、この結露水を加湿部２１で水蒸気に換えて室内へ導く。特に図示していないが、別途、専用の加湿部を室内に配置する場合があり、作用的には変りがない。【００５７】
上記室外機２０Ｂは、筐体２２内に、圧縮機２３と、室外熱交換器２４及び室外送風機２５が配置される冷凍サイクル部２６を備えている。筐体２２内の冷凍サイクル部２６上に仕切り板２７が設けられていて、筐体２２内が上下に二分される。上記仕切り板２７上には、上述した加熱装置Ｋが配置される。【００５８】
上記加熱装置Ｋは、図２、図３に示すように外気を取入れて導通させるダクトからなる吸着用通風路２を備えている。外気導入部Ｓは筐体２２の一側面に設けられ、外気導出部Ｑは仕切り板２７に開口する孔部に挿入し、冷凍サイクル部２６へ突出する。この外気導出部Ｑは、室外送風機２５が駆動することにともない負圧となる位置に開口されており、このため、吸着用通風路２が負圧化され、より効率よく外気が流通する。【００５９】
加熱装置Ｋは、上記吸着用通風路２に一部が介在して回転駆動され、吸着用通風路２に導かれる外気から水分を吸着する吸着回転体７と、この吸着回転体７の他部に熱交換用空気を導き、吸着回転体７に吸着された水分を熱交換用空気中に放出させる再生用通風路３を備えている。【００６０】
再生用通風路３における吸着回転体７の下流部位には、冷却用空気を導いて吸着回転体７から離脱した水分を含む熱交換用空気と熱交換させ、熱交換用空気を凝縮させて結露水を得る凝縮用熱交換器８が設けられる。なお、上記凝縮用熱交換器８に導かれる冷却用空気として、吸着用通風路２に流通する外気を用いることは変りがない。【００６１】
上記吸着用通風路２と再生用通風路３は、互いの一部が所定長さで並行し、かつ密に接する部位を備えていて、これらの接する部位に吸着回転体７が介在していることと、上記吸着回転体７は、吸着用通風路２と再生用通風路３の長手方向に対して斜めに傾斜して設けられ、所定の速度で回転することも変りがない。【００６２】
再生用通風路３に対して吸着用通風路２の一部が交差していて、この交差部に凝縮用熱交換器８が設けられることも同様である。すなわち、再生用通風路３の上下方向に向く部分に凝縮用熱交換器８を構成する複数の管路８ａが設けられ、吸着用通風路２における吸着回転体７の上流位置に凝縮用熱交換器８を構成する複数のフィン８ｂが設けられる。【００６３】
なお説明すると、再生用通風路３に導かれる熱交換用空気が凝縮用熱交換器８を構成する管路８ａ内を上部から下部へ流通する一方で、凝縮用熱交換器８を構成するフィン８ｂ相互間を吸着用通風路２に導かれる外気が水平方向に導かれ、同時に管路８ａの外周壁に接する。【００６４】
再生用通風路３の凝縮用熱交換器８直下部位には排水口９が設けられ、ドレンタンク１０が配置される。このドレンタンク１０に送水管１１が接続され、室内まで延設される。送水管１１の中途部に設けられるポンプ１２は、低流量でかつ高揚程の特性を備えている。ここでは、送水管１１に送られる結露水を６０℃以上の温度まで上昇させて水の内部のばい菌を殺菌する殺菌用加熱体２８が設けられる。【００６５】
冬季に通常の空気調和機を作動し暖房運転をなすと、室内に水分が供給されないまま室温だけが上がるため、室内の相対湿度が大幅に低下し、屋外と同様の乾燥状態となる。しかしながら、室外機２０Ｂに加湿装置Ｋを備えることで、加湿装置Ｋを構成する部品は上述したように作用し、室内の湿度を高めて乾燥化を防止するという効果を奏する。【００６６】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【産業上の利用可能性】
【００６７】
本発明によれば、比較的簡素な構造にて、効率よく充分な量の結露水を得られて、室内における加湿条件を満足できるようにした加湿装置と、この加湿装置を備えた空気調和機を提供できる。
【図１】
2008117684.tif 000003
【図２】
2008117684.tif 000004
【図３】
2008117684.tif 000005
【図４】
2008117684.tif 000006
【図５】
2008117684.tif 000007
【国際調査報告】
2008117684.tif 000008
2008117684.tif 000009
2008117684.tif 000010
2008117684.tif 000011
2008117684.tif 000012
2008117684.tif 000013